(57)【要約】【課題】本発明は、コンテンツ配信装置から配信されたコンテンツを表示する場合に、表示装置側で容易に番組を置き換えることが可能な表示装置等を提供する。【解決手段】コンテンツ配信装置から配信された配信データに含まれるコンテンツを、表示スケジュールに基づいて表示する表示制御部を備えた表示装置において、置き換えコンテンツに関する情報である置き換え規則に一致するコンテンツが配信データに含まれているか否かを判定する。そして、表示スケジュールに基づいて、配信データに含まれるコンテンツを表示するときに、置き換え規則に一致するコンテンツが配信データに含まれていると判定された場合には、当該コンテンツを置き換えコンテンツに置き換えて表示する。【選択図】図１
2018164210.tif 000002
【特許請求の範囲】
【請求項１】
コンテンツ配信装置から配信された配信データに含まれるコンテンツを、表示スケジュールに基づいて表示する表示制御部を備えた表示装置において、
置き換えコンテンツに関する情報である置き換え規則を記憶する置き換え規則記憶部と、
前記置き換え規則に一致するコンテンツが前記配信データに含まれているか否かを判定する判定部と、
を有し、
前記表示制御部は、
前記表示スケジュールに基づいて、配信データに含まれるコンテンツを表示するときに、前記判定部により、前記置き換え規則に一致するコンテンツが前記配信データに含まれていると判定された場合には、当該コンテンツを前記置き換えコンテンツに置き換えて表示することを特徴とする表示装置。
【請求項２】
前記置き換えコンテンツに関する情報はファイル名が含まれており、
前記判定部は、前記置き換え規則に記憶されているファイル名を含むコンテンツが、前記配信データに含まれているかを判定することを特徴とする請求項１に記載の表示装置。
【請求項３】
前記ファイル名には、再生時間に関する時間表現文字列が含まれており、
前記表示制御部は、前記置き換えコンテンツを前記時間表現文字列により決定される再生時間の間表示することを特徴とする請求項２に記載の表示装置。
【請求項４】
前記表示制御部は、
前記置き換えコンテンツが再生時間に関する属性を有する場合は、前記置き換えコンテンツを当該属性の示す再生時間の間表示し、
前記置き換えコンテンツが再生時間に関する属性を有さない場合は、前記置き換えコンテンツを前記時間表現文字列により決定される再生時間の間表示する、
ことを特徴とする請求項３に記載の表示装置。
【請求項５】
前記置き換えコンテンツはフォルダに関する情報であって、
前記表示制御部は、前記表示スケジュールに基づいて、配信データに含まれるコンテンツを表示するときに、前記判定部により、前記置き換え規則に一致するコンテンツが前記配信データに含まれていると判定された場合には、当該コンテンツを前記フォルダに含まれているコンテンツファイルに置き換えて表示することを特徴とする請求項１から４の何れか一項に記載の表示装置。
【請求項６】
配信データには、一又は複数のコンテンツを含む番組に関する情報を含んでおり、
前記置き換えコンテンツに関する情報は番組を含んでおり、
前記判定部は、前記置き換え規則に記憶されている番組に一致する番組が、前記配信データに含まれているかを判定し、
前記表示制御部は、前記置き換え規則に一致する番組が前記配信データに含まれていると判定された場合には、当該番組を前記フォルダに含まれているコンテンツファイルに置き換えて表示することを特徴とする請求項５に記載の表示装置。
【請求項７】
前記配信データには、前記コンテンツを表示する表示枠を指定する情報が更に含まれており、
前記置き換えコンテンツに関する情報には、前記表示枠に関する情報が更に含まれ、
前記判定部は、前記置き換え規則に含まれる表示枠に一致するコンテンツを判定することを特徴とする請求項１から６の何れか一項に記載の表示装置。
【請求項８】
コンテンツ配信装置から配信された配信データに含まれるコンテンツを、表示スケジュールに基づいて表示する表示制御ステップを有するコンテンツの表示方法であって、
置き換えコンテンツに関する情報である置き換え規則を記憶する置き換え規則記憶ステップと、
前記置き換え規則に一致するコンテンツが前記配信データに含まれているか否かを判定する判定ステップと、
を有し、
前記表示制御ステップは、
前記表示スケジュールに基づいて、配信データに含まれるコンテンツを表示するときに、前記判定ステップにより、前記置き換え規則に一致するコンテンツが前記配信データに含まれていると判定された場合には、当該コンテンツを前記置き換えコンテンツに置き換えて表示することを特徴とするコンテンツの表示方法。
【請求項９】
請求項８の記載のコンテンツ表示方法をコンピュータに実現させるためのプログラム。
【発明の詳細な説明】
【技術分野】
【０００１】
本発明は、コンテンツ配信装置から配信された配信データに含まれるコンテンツを、表示スケジュールに基づいて表示する表示制御部を備えた表示装置等に関する。
【背景技術】
【０００２】
屋外や、店頭、ショッピングモール、イベント会場、娯楽施設、公共機関等の場所において、ディスプレイなどの電子的な表示装置を使って広告や、販売促進／空間演出、各種案内等の情報を発信する仕組み（デジタルサイネージ）が利用されている。
【０００３】
このようなデジタルサイネージでは、一般的にはコンテンツ配信側で作成・編成されたコンテンツ（サイネージ番組）を一律に受信し、当該コンテンツを表示するのが一般的である。
【０００４】
しかし、表示装置の設置場所等によって、異なるコンテンツを表示したいというニーズがある。そこで、設置されている場所に適した情報（ローカル情報）を提供するために、自動販売機を用いた情報配信システムであって、全国放送のスケジュールとローカル放送のスケジュールとを調整して統合スケジュールを作成し、統合スケジュールと優先レベル（全国放送に付与）に基づき、全国放送とローカル放送から選択した放送を行う発明が開示されている（例えば、特許文献１参照）。
【先行技術文献】
【特許文献】
【０００５】
【特許文献１】特開２００６−４０１８０号公報
【発明の概要】
【発明が解決しようとする課題】
【０００６】
しかし、再生するコンテンツ（サイネージ番組）は通常、コンテンツ配信側で作成し、コンテンツ表示側に配信して再生を行うため、一旦配信されてしまったサイネージ番組をコンテンツ表示側の都合で一部だけ差し替えて再生を行うといったことが簡単には行えなかった。
【０００７】
コンテンツ表示側の台数が少数で、すべてで同一のサイネージ番組を表示する場合にはコンテンツ配信側でサイネージ番組を作成しなおして再配信を行うことも考えられるが、例えば、本部から全国の多数の支店へと配信を行う場合で、個々の支店で再生コンテンツを部分的に差し替えたい要求があったときには、サイネージ番組の再作成と再配信に多くの手間が発生していた。
【０００８】
またコンテンツ配信側でサイネージ番組を作成するとしても、配信先が多い場合には、配信先毎に異なる番組を表示させたい場合、配信先毎にサイネージ番組を作成しなければならず、容易には対応できなかった。
【０００９】
例えば、コンテンツ表示側である支店が独自のコンテンツ（サイネージ番組）を表示させたい場合は、一度コンテンツ配信側である本部に、支店独自のコンテンツをアップロードする。コンテンツ配信側は、アップロードされたコンテンツを利用して、支店独自のサイネージ番組を作成する。そして、作成されたサイネージ番組を再度支店に配信するといった手続が必要であった。
【００１０】
上述した課題に鑑み、本発明は、コンテンツ配信装置から配信されたコンテンツを表示する場合に、表示装置側で容易に番組を置き換えることが可能な表示装置等を提供することを目的とする。
【課題を解決するための手段】
【００１１】
上述した課題を解決するために、本発明の表示装置は、
コンテンツ配信装置から配信された配信データに含まれるコンテンツを、表示スケジュールに基づいて表示する表示制御部を備えた表示装置であって、
置き換えコンテンツに関する情報である置き換え規則を記憶する置き換え規則記憶部と、
前記置き換え規則に一致するコンテンツが前記配信データに含まれているか否かを判定する判定部と、
を有し、
前記表示制御部は、
前記表示スケジュールに基づいて、配信データに含まれるコンテンツを表示するときに、前記判定部により、前記置き換え規則に一致するコンテンツが前記配信データに含まれていると判定された場合には、当該コンテンツを前記置き換えコンテンツに置き換えて表示することを特徴とする。
【００１２】
本発明のコンテンツの表示方法は、
コンテンツ配信装置から配信された配信データに含まれるコンテンツを、表示スケジュールに基づいて表示する表示制御ステップを有するコンテンツの表示方法であって、
置き換えコンテンツに関する情報である置き換え規則を記憶する置き換え規則記憶ステップと、
前記置き換え規則に一致するコンテンツが前記配信データに含まれているか否かを判定する判定ステップと、
を有し、
前記表示制御ステップは、
前記表示スケジュールに基づいて、配信データに含まれるコンテンツを表示するときに、前記判定ステップにより、前記置き換え規則に一致するコンテンツが前記配信データに含まれていると判定された場合には、当該コンテンツを前記置き換えコンテンツに置き換えて表示することを特徴とする。
【発明の効果】
【００１３】
本発明によれば、コンテンツ配信装置から配信された配信データに含まれるコンテンツを、表示スケジュールに基づいて表示する表示制御部を備えた表示装置において、置き換えコンテンツに関する情報である置き換え規則に一致するコンテンツが配信データに含まれているか否かを判定する。そして、表示スケジュールに基づいて、配信データに含まれるコンテンツを表示するときに、置き換え規則に一致するコンテンツが配信データに含まれていると判定された場合には、当該コンテンツを置き換えコンテンツに置き換えて表示する。これにより、配信データとは別に置き換え用のコンテンツを用意すれば、配信データの一部のコンテンツを置き換えコンテンツに容易に置き換えることが可能となる。
【図面の簡単な説明】
【００１４】
【図１】第１実施形態におけるシステム全体について説明するための図である。
【図２】第１実施形態におけるコンテンツ配信装置の機能構成を説明するための図である。
【図３】第１実施形態における配信データについて説明するための模式的な図である。
【図４】第１実施形態におけるプレイリストの編集画面の一例を説明するための図である。
【図５】第１実施形態におけるタイムテーブルの編集画面の一例を説明するための図である。
【図６】第１実施形態におけるスケジュールの編集画面の一例を説明するための図である。
【図７】第１実施形態における表示装置の機能構成を説明するための図である。
【図８】第１実施形態における共有ファイルサーバ装置の機能構成を説明するための図である。
【図９】第１実施形態におけるフォルダ構成を説明するための図である。
【図１０】第１実施形態における置き換え規則の設定の処理について説明するための動作フローである。
【図１１】第１実施形態における置き換え規則の設定の処理について説明するための画面例である。
【図１２】第１実施形態における置き換え規則の設定の処理について説明するための画面例である。
【図１３】第１実施形態におけるコンテンツを表示する場合の処理について説明するための動作フローである。
【図１４】第１実施形態におけるコンテンツの置き換え動作について説明するための図である。
【図１５】第２実施形態における（ａ）表示枠の設定、（ｂ）配信データについて説明するための図である。
【図１６】第２実施形態における置き換え規則の設定の処理について説明するための画面例である。
【図１７】第３実施形態におけるフォルダ構成を説明するための図である。
【図１８】第４実施形態における処理を説明するための動作フローである。
【発明を実施するための形態】
【００１５】
以下、本発明の実施の形態について、図面を参照して説明する。なお、本実施形態では、一例として、表示装置として、コンテンツを表示可能な、大型の表示装置、例えばデジタルサイネージに利用される表示装置に適用した場合について説明する。
【００１６】
［１．第１実施形態］
［１．１  全体構成］
図１は、コンテンツ配信システム１の全体を説明するための図である。コンテンツ配信システム１は、一又は複数の表示装置２０が、コンテンツ配信装置１０（コンテンツ配信サーバ）にネットワークＮＷを介して接続されている。
【００１７】
また、ネットワークＮＷには、共有ファイルサーバ３０と、端末装置４０とが接続されている。なお、説明の都合上、ネットワークＮＷに接続されているが、外部ネットワークＮＷ２を介して接続されてもよい。外部ネットワークＮＷ２としては、例えばインターネット等が想定される。
【００１８】
表示装置２０は、コンテンツ配信装置１０から配信される番組に含まれるコンテンツを表示可能な表示装置であり、例えば液晶ディスプレイ、有機ＥＬディスプレイ、ＬＥＤスクリーン等により構成される。
【００１９】
コンテンツ配信装置１０は、一又は複数の表示装置２０を管理するための装置である。例えば、コンテンツ提供者、情報提供者、広告配信者が、コンテンツ配信装置１０にコンテンツ（番組）を登録する。登録された番組は、コンテンツ配信装置１０に設定されたスケジュールに基づいて、それぞれの表示装置２０に配信される。
【００２０】
ここで、本実施形態でいうコンテンツとは、静止画、動画、音声、文字等の何れであっても良い。コンテンツは、一又は複数のファイルで構成されており、複数のファイルをフォルダ単位（ディレクトリ単位）で構成してもよい。また、複数のファイルを一つのファイルにまとめて記憶（例えば、ＺＩＰ形式やＣＡＢ形式でアーカイブする）していてもよい。
【００２１】
ここで、コンテンツに含まれるファイルをコンテンツのファイル（コンテンツファイル）という。また、配信されるコンテンツは、コンテンツ配信装置１０に登録（記憶）されたコンテンツであっても良いし、外部サーバに記憶されたコンテンツであっても良い。
【００２２】
端末装置４０は、利用者が利用する装置であり、例えばコンピュータや、タブレット、スマートフォンといった情報処理装置である。利用者は、端末装置４０から、配信されたコンテンツを置き換えるコンテンツである置き換えコンテンツを登録することが可能となる。置き換えコンテンツは、直接表示装置に記憶されてもよいし、共有ファイルサーバ３０に記憶されてもよい。例えば、表示装置２０が複数ある場合は、置き換えコンテンツを共有ファイルサーバ３０に記憶し、管理することで一括してコンテンツを置き換えることが可能となる。
【００２３】
共有ファイルサーバ３０は、ネットワークに接続されるＮＡＳ（Network Attached Storage）や、ファイル共有機能を実現するサーバ装置が想定される。ファイル共有方法としては、ＳＭＢ（Server Message Block）、ＣＩＦＳ（Common Internet File System）、ＡＦＰ（Apple Filing Protocol）、ＮＦＳ（Network File System）といったファイル共有サービスが利用されたり、ＦＴＰ（File Transfer Protocol）等のファイル転送サービスを利用したりしてもよい。また、表示装置２０及び／又は端末装置４０に内蔵／外付された記憶装置の領域を用いて、ファイル共有を行ってもよい。
【００２４】
［１．２  機能構成］
つづいて、コンテンツ配信システム１に含まれる各装置について、機能構成について図を参照して説明する。なお、端末装置４０は、通常のコンピュータや、タブレット等の情報処理装置であり、共有ファイルが格納可能な場合がある。したがって、共有ファイルサーバ３０と併せて説明する。
【００２５】
［１．２．１  コンテンツ配信装置］
本実施形態におけるコンテンツ配信装置１０の機能構成について図に基づいて説明する。コンテンツ配信装置１０の機能構成は、図２に示すように、制御部１０００と、表示部１１００と、操作部１２００と、通信部１３００と、記憶部１４００とを備えて構成されている。
【００２６】
制御部１０００は、コンテンツ配信装置１０の全体を制御するための機能部である。制御部１０００は、記憶部１４００に記憶されている各種プログラムを読み出して実行することにより各種機能を実現しており、例えば、ＣＰＵ（Central Processing Unit）等により構成されている。
【００２７】
表示部１１００は、各種画像や文字等の情報を表示することが出来る機能部（装置）である。例えば、液晶ディスプレイ（ＬＣＤ）や、有機ＥＬディスプレイ等により構成されている。一般的な表示装置であればよい。
【００２８】
操作部１２００は、各種操作を入力受付可能な機能部であり、例えば、キーボード、マウス、タッチパネルによって構成されている。例えば、管理者により、各種操作（例えば、配信データの登録、編集、削除といった操作等）が、操作部１２００を利用して行われる。
【００２９】
通信部１３００は、ネットワークと接続するための機能部である。例えば、有線ＬＡＮや無線ＬＡＮ、ＬＴＥ網に接続可能なインタフェースにより構成されている。通信部１３００がネットワークに接続されることで、他の装置やネットワークと接続され、通信可能となる。
【００３０】
記憶部１４００は、コンテンツ配信装置１０の動作に必要な各種プログラムや、各種データが記憶されている機能部である。記憶部１４００は、例えば、半導体メモリであるＳＳＤ（Solid State Drive）や、磁気ディスクであるＨＤＤ（Hard Disk Drive）等により構成されている。それ以外にも、例えばＵＳＢメモリや、メモリカードを記憶部として利用してもよい。
【００３１】
また、記憶部１４００には、表示装置に関する情報である表示装置データ１４１２を記憶する表示装置データ格納部１４１０と、配信データ１４２２を記憶する配信データ格納部１４２０と、各種プログラムを記憶するプログラム格納部１４３０との記憶領域（格納領域）を確保している。
【００３２】
表示装置データ１４１２は、コンテンツ配信装置１０がコンテンツを配信する表示装置２０に関する情報が記憶されている。例えば、表示装置２０の性能（例えば、表示する解像度や、縦向きか横向きか等）、設置場所、ネットワークアドレス（例えば、ＩＰアドレスやＭＡＣアドレス等）、連携する装置といった、表示装置に関する情報が記憶されている。
【００３３】
配信データ格納部１４２０に記憶される配信データ１４２２は、表示装置２０に対して配信される番組（コンテンツ）であり、１又は複数の配信データが記憶されている。ここで、配信データ１４２２の一例を、図３を利用して説明する。
【００３４】
本実施形態における配信データは、スケジュールデータ（図３（ａ））と、タイムテーブルデータ（図３（ｂ））と、番組データ（図３（ｃ））と、コンテンツのファイル（図３（ｄ））とが要素として含まれている。
【００３５】
スケジュールデータには、スケジュール名（例えば、「Schedule_1」）に、表示する日付と、タイムテーブルとが対応づけて記憶されている。
【００３６】
タイムテーブルデータには、タイムテーブル名（例えば、「TimeTable_1」）に、表示する時間帯（開始時刻、終了時刻）と、対応する番組データの番組名とが対応づけて記憶されている。
【００３７】
番組データには、番組名（例えば、「Program_1」）に、表示するコンテンツのプレイリスト（時間及びコンテンツ名）が対応づけて記憶されている。
【００３８】
コンテンツには、静止画や動画等の実際のデータファイルが記憶されている。コンテンツに含まれているファイルが、スケジュールデータ、タイムテーブルデータ、番組データに基づいて表示装置２０において表示される。
【００３９】
プログラム格納部１４３０には、番組データ編集プログラム１４３２と、タイムテーブルデータ編集プログラム１４３４と、スケジュールデータ編集プログラム１４３６と、表示装置管理プログラム１４３８と、配信プログラム１４４０とが必要に応じて記憶されている。各プログラムは、制御部１０００により読み出されて実行されることにより、各機能が実現される。
【００４０】
番組データ編集プログラム１４３２は、１又は複数のコンテンツを指定することにより、プレイリストに基づいた番組データを作成・編集することが可能となるプログラムである。ここで、番組データ編集プログラム１４３２を実行した場合の実行画面の一例を図４の表示画面Ｗ１００として示す。なお、表示画面Ｗ１００は、表示装置の表示領域に全体表示（１画面表示）されてもよいし、ウィンドウ表示（複数表示）されてもよい。
【００４１】
表示画面Ｗ１００には、右側の領域である領域Ｒ１００に、プレイリストが表示されている。領域Ｒ１００に示すように、１又は複数のコンテンツが選択されることにより、プレイリストを生成することができる。また、当該画面からプレイリストに含まれるコンテンツを１又は複数選択することにより、コンテンツの変更、削除といった処理が可能となる。なお、領域Ｒ１０２には、表示枠の記載があるが、この点については、他の実施形態で説明する。
【００４２】
タイムテーブルデータ編集プログラム１４３４は、１又は複数の番組データを指定することにより、タイムテーブルデータを作成・編集することが可能となるプログラムである。ここで、タイムテーブルデータ編集プログラム１４３４を実行した場合の実行画面の一例を図５の表示画面Ｗ１１０として示す。
【００４３】
表示画面Ｗ１１０には、領域Ｒ１１０に、選択可能な番組名が表示されている。この中から、１又は複数の番組データを選択することにより、タイムテーブルを作成することが可能となる。作成されたタイムテーブルは、表示画面Ｗ１１０の右側の領域Ｒ１１２に表示されている。表示されるタイムテーブルは、図５のようにグラフィック表示としてもよいし、文字によるリスト表示であってもよい。
【００４４】
スケジュールデータ編集プログラム１４３６は、１又は複数のタイムテーブルデータを指定することにより、スケジュールデータを作成・編集することが可能となるプログラムである。ここで、スケジュールデータ編集プログラム１４３６を実行した場合の実行画面の一例を図６の表示画面Ｗ１２０として示す。
【００４５】
表示画面Ｗ１２０には、領域Ｒ１２０に、選択可能なタイムテーブル名が表示されている。この中から、１又は複数のタイムテーブルデータを選択することにより、スケジュールデータを作成することが可能となる。作成されたスケジュールデータは、表示画面Ｗ１２０の右側の領域Ｒ１２２に表示されている。表示されるスケジュールデータは、図６のようにグラフィック表示としてもよいし、文字によるリスト表示であってもよい。
【００４６】
このように、作成された番組データ、タイムテーブルデータ、スケジュールデータと、コンテンツ（ファイル）とが配信データ１４２２として記憶され、管理されている。
【００４７】
表示装置管理プログラム１４３８は、配信データを配信する表示装置を管理するプログラムである。管理者によって、配信データをどの表示装置に配信するかを、当該プログラムが実行されることによって選択・決定することが可能となる。
【００４８】
そして、配信プログラム１４４０により、選択された表示装置に対して、配信データ１４２２が配信される。ここで、配信データが選択された表示装置に配信されるタイミングとしては、１日１回朝等の所定のタイミングで配信される。なお、配信される回数としては１回であってもよいし、それ以上であってもよい。また、一括配信されることを前提に説明するが、随時配信されてもよい。
【００４９】
［１．２．２  表示装置］
本実施形態における表示装置２０の機能構成について図に基づいて説明する。表示装置２０の機能構成は、図７に示すように、制御部２０００と、表示部２１００と、通信部２３００と、記憶部２４００とを備えて構成されている。
【００５０】
制御部２０００は、表示装置２０の全体を制御するための機能部である。制御部２０００は、記憶部２４００に記憶されている各種プログラムを読み出して実行することにより各種機能を実現しており、例えば、ＣＰＵ（Central Processing Unit）等により構成されている。
【００５１】
表示部２１００は、各種画像や文字等の情報を表示することが出来る機能部（装置）であり、コンテンツ（例えば、静止画像や動画、文字等）を表示するための機能部である。例えば、液晶ディスプレイ（ＬＣＤ）や、有機ＥＬディスプレイ等により構成されている。また、プロジェクタ等によりコンテンツを表示（投影）してもよいし、ＨＤＭＩ（登録商標）やＤＶＩ等によって接続された外部の表示装置であってもよい。
【００５２】
通信部２３００は、ネットワークと接続するための機能部である。例えば、有線ＬＡＮや無線ＬＡＮ、ＬＴＥ網に接続可能なインタフェースにより構成されている。通信部２３００がネットワークに接続されることで、他の装置やネットワークと接続され、通信可能となる。
【００５３】
記憶部２４００は、表示装置２０の動作に必要な各種プログラムや、各種データが記憶されている機能部である。記憶部２４００は、例えば、半導体メモリであるＳＳＤ（Solid State Drive）や、磁気ディスクであるＨＤＤ（Hard Disk Drive）等により構成されている。それ以外にも、例えばＵＳＢメモリや、メモリカードを記憶部として利用してもよい。
【００５４】
また、記憶部２４００には、配信データ２４１２を記憶する配信データ格納部２４１０と、置き換え用コンテンツデータ格納部２４２０と、一時記憶部２４３０と、各種プログラムを記憶するプログラム格納部２４４０との記憶領域（格納領域）を確保している。
【００５５】
配信データ格納部２４１０に記憶される配信データ２４１２は、コンテンツ配信装置１０から配信された番組（コンテンツ）である。配信データ２４１２は、図３で説明した配信データ１４２２と同一の構成であり、その説明を省略する。
【００５６】
置き換え用コンテンツデータ格納部２４２０には、配信データを置き換える規則（ルール）を設定した置き換え規則データ２４２２と、実際に置き換えるコンテンツである置き換えコンテンツ２４２４とが記憶されている。置き換え規則データ２４２２には、１又は複数の置き換え規則が設定可能である。また、置き換えコンテンツ２４２４には、置き換えるコンテンツのファイルが１又は複数記憶されている。
【００５７】
ここで、置き換えコンテンツ２４２４は、表示装置２０に記憶されてもよいし、後述するように、他の装置に記憶されてもよい。他の装置に記憶される場合は、表示装置２０には、置き換え規則データ２４２２のみが記憶される。
【００５８】
一時記憶部２４３０には、再生リスト２４３２が記憶されている。再生リスト２４３２は、配信データを置き換え規則にしたがって置き換えたものであり、表示装置２０がコンテンツを表示再生する場合に利用されるものである。
【００５９】
なお、説明の都合上、再生リスト２４３２に基づいて、コンテンツ再生プログラム２４４２が実行されることにより、番組・コンテンツが表示（再生）されることとして説明するが、特に置き換えられていないときは、配信データ２４１２に基づいて番組が表示されてもよい。また、再生リスト２４３２を一時的に作成せずに、例えば配信データ２４１２に基づいて表示し、必要に応じて置き換え規則にしたがって置き換えコンテンツと入れ替えて表示してもよい。
【００６０】
また、再生リスト２４３２は、一時記憶部２４３０に記憶されることとして説明するが、必ずしも一時的に記憶する必要は無い。
【００６１】
プログラム格納部２４４０には、コンテンツ再生プログラム２４４２と、置き換え規則設定プログラム２４４４と、置き換え規則実行プログラム２４４６とが必要に応じて記憶されている。各プログラムは、制御部２０００により読み出されて実行されることにより、各機能が実現される。
【００６２】
コンテンツ再生プログラムは、配信データ２４１２、再生リスト２４３２に基づいてコンテンツを再生するプログラムである。すなわち、スケジュールデータにしたがって、タイムテーブルデータを読み出し、読み出されたタイムテーブルデータに基づいて番組データを読み出す。読み出された番組データに基づいて、コンテンツを表示する。
【００６３】
置き換え規則設定プログラム２４４４は、置き換え規則データを設定するためのプログラムである。また、置き換え規則実行プログラム２４４６は、配信データ２４１２に対して、置き換え規則データ２４２２（置き換えコンテンツ２４２４）を適用することにより、再生リスト２４３２を出力するプログラムである。これらの処理については後述する。
【００６４】
［１．２．３  共有ファイルサーバ］
本実施形態における共有ファイルサーバ３０の機能構成について図に基づいて説明する。共有ファイルサーバ３０の機能構成は、図８に示すように、制御部３０００と、通信部３３００と、記憶部３４００とを備えて構成されている。
【００６５】
制御部３０００は、共有ファイルサーバ３０の全体を制御するための機能部である。制御部３０００は、記憶部３４００に記憶されている各種プログラムを読み出して実行することにより各種機能を実現しており、例えば、ＣＰＵ（Central Processing Unit）等により構成されている。
【００６６】
通信部３３００は、ネットワークと接続するための機能部である。例えば、有線ＬＡＮや無線ＬＡＮ、ＬＴＥ網に接続可能なインタフェースにより構成されている。通信部３３００がネットワークに接続されることで、他の装置やネットワークと接続され、通信可能となる。
【００６７】
記憶部３４００は、共有ファイルサーバ３０の動作に必要な各種プログラムや、各種データが記憶されている機能部である。記憶部３４００は、例えば、半導体メモリであるＳＳＤ（Solid State Drive）や、磁気ディスクであるＨＤＤ（Hard Disk Drive）等により構成されている。それ以外にも、例えばＵＳＢメモリや、メモリカードを記憶部として利用してもよい。
【００６８】
また、記憶部３４００には、置き換えコンテンツ３４１２を記憶する為の共有ファイル格納部３４１０の記憶領域（格納領域）を確保している。置き換えコンテンツは、表示装置２０ではなく、ファイル共有可能な場所に記憶される場合がある。置き換えコンテンツが記憶可能な場所として、本実施形態では、共有ファイルサーバ３０として説明するが、例えば端末装置４０において記憶されてもよいし、他の表示装置２０の記憶部２４００の中に領域を設けてもよい。
【００６９】
ファイル共有の仕組みについては、上述した従来におけるファイル共有の仕組みを利用すればよく、その詳細な説明は省略する。
【００７０】
［１．３  処理の流れ］
つづいて、本実施形態における処理の流れについて、図を参照して説明する。
【００７１】
［１．３．１  置き換え規則の流れ］
まず、置き換え規則を利用した置き換えについて、全体的な仕組みの概要について説明する。コンテンツ配信装置１０において、生成された配信データが表示装置２０に配信される。表示装置２０は、コンテンツ配信装置１０から配信された配信データが配信データ２４１２として配信データ格納部２４１０に記憶される。そして、配信データ２４１２は、コンテンツ再生プログラム２４４２によって再生・表示される。
【００７２】
ここで、表示装置２０側で、置き換えるコンテンツが記憶された場合は、本来の配信データで表示されるコンテンツを置き換えて表示することとなる。この、コンテンツや番組を置き換えるために、置き換え規則を設定する。
【００７３】
設定された置き換え規則は、置き換え規則データとして、配信データとは別の場所（例えばフォルダ）に格納される。
【００７４】
ここで、フォルダ構成について、図９を参照して説明する。表示装置２０で表示するコンテンツは、データフォルダＦ１０２に格納される。ここで、コンテンツ配信装置１０から受信した配信データは、スケジュールデータフォルダＦ１０４（Ｉｎｓｉｄｅフォルダ）に格納される。表示用プログラムであるコンテンツ再生プログラム２４４２は、フォルダＦ１０４に格納されている配信データを取得する。
【００７５】
ここで、コントロールファイル（設定ファイル）に記憶されている置き換え規則管理フォルダＦ１０６（Ｒｅｐｌａｃｅフォルダ）に、置き換え規則データが格納されている場合には、置き換え規則データを取得する。ここで、置き換え規則データは、置き換え規則フォルダＦ１０８（ＡＳｈｏｐフォルダ）に格納される。ここで、フォルダＦ１０６の中には、複数の置き換え規則データを格納なため、それぞれ子フォルダに格納しているが、フォルダＦ１０６に格納してもよい。
【００７６】
置き換え規則データに従って、置き換えコンテンツのファイルを置き換えコンテンツフォルダＦ１１０（Ｃｏｎｔｅｎｔｓフォルダ）から取得する。置き換えコンテンツフォルダＦ１１０には、置き換え規則設定プログラムが、置き換え規則データを生成するときに、参照先フォルダからコンテンツ（ファイル）をコピーして格納する。参照先フォルダとしては、表示装置２０の中であってもよいし、共有ファイル格納部であってもよい。
【００７７】
そして、置き換え規則データに記載されている規則にしたがって、指定されているコンテンツ・番組に対して置き換えコンテンツ（ファイル）で置き換えて表示することとなる。このとき、置き換えコンテンツ（ファイル）で再生リストを生成して、表示する。
【００７８】
［１．３．２  置き換え規則設定処理］
具体的に置き換え規則を設定する処理として、図１０を参照して説明する。まず、更新間隔を設定する操作がなされた場合は、更新間隔を設定する更新間隔設定処理を実行する（ステップＳ１０２；Ｙｅｓ→ステップＳ１０４）。ここで、更新間隔とは、参照先フォルダをチェックするタイミングであり、参照先フォルダのファイルが更新されている場合は、表示予定の置き換えコンテンツも更新される。本実施形態では、当該処理で併せて説明しているが、別の処理で実行されてもよい。
【００７９】
つづいて、置き換え規則追加の操作がなされた場合（ステップＳ１０６；Ｙｅｓ）、置き換え元のルールと（ステップＳ１０８）、置き換え先のルールとが設定される（ステップＳ１１０）。置き換え元、置き換え先のルールが対応して設定されることにより、置き換え規則として設定される。これらの処理は、処理が完了するまで繰り返し実行される（ステップＳ１１２；Ｎｏ→ステップＳ１０２）。
【００８０】
総ての置き換えルールが追加された場合には、置き換え規則データが更新され（ステップＳ１１４）、本処理を終了する。
【００８１】
なお、上述した処理フローでは置き換え規則を追加する処理について説明したが、既に設定されている置き換えルールを編集する処理、置き換えルールを削除する処理も同様に実行可能であることは勿論である。
【００８２】
本処理を実行した場合の画面例について、図を参照して説明する。図１１は、置き換え規則を追加／編集／削除する場合の表示画面Ｗ１３０の一例である。ここで、追加ボタンＲ１３０により追加の処理が選択されると、図１２の表示画面Ｗ１４０に切り替わる。
【００８３】
表示画面Ｗ１４０では、一例として置き換え先の参照フォルダが選択可能である。置き換え先としては、ファイル、フォルダ等の種々のデータが選択可能である。
【００８４】
また、置き換え元としては、今回は所定の番組が選択されているものとする。置き換え元のルールとしては、番組、配信されるコンテンツ（コンテンツのファイル）、といったものが選択可能である。
【００８５】
（置き換え規則）
ここで、置き換え規則として設定されるもののうち、代表的な物を説明する。
【００８６】
（１）ファイルの置き換え
配信された配信データの中のうち、１つのファイルを別のファイルに置き換える。例えば、置き換え規則としては以下のように設定される。
【００８７】
Picture1.jpg  →  AnotherPicture1.jpg
代表的な例として、例えば企業全体のロゴを店舗独自のロゴに置き換えたりすることが可能となる。
【００８８】
（２）ファイルの置き換え（複数）
配信された配信データの中のうち、１つのファイルを連続するする複数のファイルに置き換える。例えば、置き換え規則としては以下のように設定される。
【００８９】
Picture1.jpg  →  AnotherPicture1.jpg , AnotherPicture2.jpg
（３）ファイルのスキップ
配信されたデータ中、１つのファイルをスキップして再生を行う。この場合、置き換え用の初期コンテンツが別に指定されてもよいし、前後のコンテンツの再生時間を調整してもよい。
【００９０】
Picture1.jpg  →
（４）番組の置き換え
番組をまるごと、指定したフォルダに存在するファイルか、複数のファイルに置き換える。この場合、指定したフォルダはローカルフォルダであってもよいし、共有フォルダであってもよい。
【００９１】
Program1  →  [C:\LocalFolder\Folder1]
Program1  →  [\\NetworkFolder\Folder1]
（５）複数条件指定
上記置き換え規則について、置き換え規則を組み合わせてもよい。例えば、所定の番組の中だけ、コンテンツのファイルを置き換えるといった置き換え規則としてもよい。
【００９２】
Program1 and Picture1.jpg  →  AnotherPicture1.jpg
上記置き換え規則の場合、Program1の番組に含まれるPicture1.jpgのコンテンツのファイルを置き換える。
【００９３】
( Program1 or Program2 )and Picture1.jpg  →  AnotherPicture1.jpg
上記置き換え規則の場合、Program1又はProgram2の番組に含まれるPicture1.jpgのコンテンツのファイルを置き換える。
【００９４】
（６）条件付きの置き換え
上記置き換え規則を、ある時間帯だけ適用させるといった置き換え規則としてもよい。例えば、ファイルの置き換えについて、通常は配信データのコンテンツを使用するが、所定時間だけは番組を置き換えたり、ファイルを置き換えたりするといった置き換え規則にすることができる。
【００９５】
Timetable1 & 15:00-15:15  →  [\\NetworkFolder\Folder1]
上記置き換え規則の場合、Timetable1の中で、15:00〜15:15の間だけ、共有フォルダにあるコンテンツに置き換える。
【００９６】
［１．３．３  コンテンツの表示］
つづいて、コンテンツを表示する処理について、図１３を参照して説明する。図１３の処理は、置き換え規則実行プログラム２４４６、コンテンツ再生プログラム２４４２が実行されることにより実現される処理である。
【００９７】
まず、スケジュールデータが読み込まれる（ステップＳ２０２）。ここで、新しく受信したスケジュールデータがある場合には、スケジュールデータが再読込される（ステップＳ２０４；Ｙｅｓ→ステップＳ２０６）。つづいて、スケジュールデータから、再生リストを展開する（ステップＳ２０８）。具体的には、スケジュールデータ、タイムテーブルデータ、番組データを展開する。そして、置き換え規則データが存在しない場合には（ステップＳ２１０；Ｎｏ）、再生リストに従ってコンテンツを表示する（ステップＳ２２０）。
【００９８】
ここで、置き換え規則データが存在する場合には（ステップＳ２１０；Ｙｅｓ）、置き換え規則データを読み込む（ステップＳ２１２）。ここで、置き換え規則データが存在するか否かは、コントロールファイルが存在するか否かによって判定してもよいし、置き換え規則データ２４２２が記憶されているか否かにより判定してもよい。
【００９９】
置き換え対象・条件が再生リストに一致する場合、すなわち置き換え元のデータのうち、再生リストに一致するものが含まれている場合には（ステップＳ２１４；Ｙｅｓ）、当該該当する部分を置き換え先のデータ（置き換えコンテンツ）で置き換え、再生リストを更新する（ステップＳ２１６）。
【０１００】
ここで、置き換えるものは、置き換え規則データに記憶されている各要素に対応してコンテンツや、番組が置き換えられる。具体的には、置き換え規則の対象が「コンテンツ」であれば、コンテンツの要素を判定し、一致すれば置き換えコンテンツに置き換える。
【０１０１】
また、置き換え規則の対象が「コンテンツ」ではなく、「番組」の場合は、番組データ名と比較する。ここで置き換え規則の対象が一致すれば、番組の内容をそのままコンテンツに置き換える。
【０１０２】
全置き換え規則データについて処理が完了した場合には（ステップＳ２１８；Ｙｅｓ）、再生リストに従ってコンテンツ（コンテンツのファイル）を表示する（ステップＳ２２０）。もし、全置き換え規則データについて処理が完了していない場合には（ステップＳ２１８；Ｎｏ）、次の置き換え規則データを読み込み（ステップＳ２２２）、ステップＳ２１４から処理を繰り返し実行する。
【０１０３】
［１．４  動作例］
つづいて、本実施形態における動作例について、図１４を参照して説明する。まず、置き換え規則として、以下の置き換え規則１がある場合について説明する。
【０１０４】
（置き換え規則１）企業ロゴ.jpg  →  店舗情報.jpg
コンテンツ配信装置１０から配信された配信データは、コンテンツとして、「企業ロゴ.jpg」「広告1.mp4」「広告2.mp4」「広告3.mp4」の４つが含まれている（図１４（ａ））。
【０１０５】
ここで、上述した置き換え規則により、図１４（ａ）のコンテンツが置き換えられる。すなわち、コンテンツＣ１０２がＣ１１２に置き換えられることにより、再生リストは、
「店舗情報.jpg」→「広告1.mp4」→「広告2.mp4」→「広告3.mp4」
となり、コンテンツが表示される。
【０１０６】
また、以下の置き換え規則２がある場合について説明する。
【０１０７】
（置き換え規則２）Program1  →  [\\NetworkFolder\Folder1]
コンテンツ配信装置１０から配信されている配信データは、番組Ｃ１２２として「商品1.jpg」「商品2.jpg」「商品3.jpg」が含まれている。
【０１０８】
ここで、置き換え規則として、共有フォルダの場所（例えば、共有ファイルサーバ３０の場所を示す「\\NetworkFolder\Folder1」）が置き換え規則に設定されている。そこで、番組Ｃ１２２は、共有フォルダに含まれているコンテンツによって番組に含まれるコンテンツが置き換えられる。
【０１０９】
すなわち、コンテンツＣ１３２として、「おすすめ商品1.jpg」「おすすめ商品2.jpg」「おすすめ商品3.jpg」「おすすめ商品4.jpg」が含まれている。これらのコンテンツに置き換わることにより、番組自体が置き換わることとなる。
【０１１０】
なお、置き換え規則があるにも関わらず、置き換えコンテンツが存在しない場合には、元の配信データに含まれるコンテンツが表示されることしてもよいし、存在しない場合のコンテンツが表示されることとしてもよい。
【０１１１】
このように、本実施形態によれば、置き換え規則を利用することにより、コンテンツ配信装置１０から配信された番組・コンテンツを、表示装置２０側で所望するコンテンツに容易に置き換えることが可能となる。
【０１１２】
また、配信データと別のフォルダに格納されることになることから、誤操作により配信データを壊してしまうといったことを防ぐことが可能となる。
【０１１３】
［２．第２実施形態］
つづいて、第２実施形態について説明する。第２実施形態は、コンテンツ（番組）を表示する場合に、コンテンツを表示枠に割り当てて表示する場合の実施形態である。なお、第１実施形態と機能構成は同一であり、第１実施形態との差異を中心に説明する。
【０１１４】
図１５（ａ）は、表示枠を設定する画面の一例を示す図である。表示枠とは、表示される領域を複数に分割し、表示枠毎にコンテンツを再生する領域である。例えば、図１５では、領域Ｒ２００に設定された表示枠が表示されており、表示枠１、表示枠２、表示枠３、表示枠４の領域があることが表示されている。
【０１１５】
また、細かい表示枠の大きさは、領域Ｒ２０２で設定されている。ここで、表示枠を１つとすることも可能であり、表示枠を２、３と分割して表示することも可能である。
【０１１６】
この表示枠の情報（属性）は、番組データに含めてもよい。例えば、図１５（ｂ）に、番組データの一例を示す。番組データには、各表示枠の座標と、当該表示枠において表示されるコンテンツが含まれている。
【０１１７】
本実施形態では、置き換え属性に表示枠を含めることが可能となる。
【０１１８】
Frame1  →  AnotherPicture1.jpg , AnotherPicture2.jpg
例えば、上記の置き換え規則の場合、表示枠１（Frame1）のコンテンツを、置き換え規則に基づき、２つの画像ファイル（AnotherPicture1.jpg , AnotherPicture2.jpg）に置き換える。
【０１１９】
また、
Frame1  →  [C:\LocalFolder\Folder1]
上記の置き換え規則の場合、表示枠１（Frame1）のコンテンツを、置き換え規則に基づき、ローカルフォルダ「C:\LocalFolder\Folder1」に記憶されているコンテンツに置き換えて再生リストが生成される。そして、置き換え規則に基づいて置き換えられたコンテンツが表示・再生されることとなる。また、上述したように、置き換え規則データを組み合わせてもよいことは勿論である。
【０１２０】
Program1 and Frame1  →  [\\NetworkFolder\Folder1]
上述した置き換え規則の場合は、表示枠１に表示される番組１の内容を、共有フォルダにあるコンテンツに置き換える規則である。
【０１２１】
図１６は、置き換え規則を設定する表示画面Ｗ２１０の一例である。表示画面Ｗ２１０に示すように、置き換え規則を設定する場合に、領域Ｒ２１０に示すように表示枠を設定できるようになっている。これにより、置き換え規則を適用するコンテンツが表示される表示枠を指定し、表示枠において再生される番組等のコンテンツが置き換わることとなる。
【０１２２】
［３．第３実施形態］
つづいて、第３実施形態について説明する。第３実施形態は、置き換えルールを生成するのではなく、置き換えフォルダに置き換えコンテンツのファイルを置くことで、配信されたコンテンツのファイルを置き換えて再生・表示する場合の実施形態である。なお、第１実施形態と機能構成は同一であり、第１実施形態との差異を中心に説明するが、本実施形態では置き換え規則は不要（又は、プログラムに予め設定されている）ことから、置き換え規則データ２４２２は記憶されなくてもよい。また、置き換え規則設定プログラム２４４４、置き換え規則実行プログラム２４４６についても記憶されなくてもよい。このように、各装置の機能構成は、必須の構成要素ではなく、実施形態によっては、必要に応じて備えていない（記憶していない）場合があることは当然である。
【０１２３】
本実施形態におけるフォルダ構成の一例を、図１７を参照して説明する。図１７において、表示装置２０のフォルダＦ３０２に格納されているコンテンツのファイルが表示されることとなる。
【０１２４】
ここで、コンテンツ配信装置１０から配信された配信データは、フォルダＦ３０４（Ｉｎｓｉｄｅフォルダ）に格納される。コンテンツ再生プログラム２４４２は、フォルダＦ３０４に格納されているコンテンツのファイルを表示する。
【０１２５】
ここで、置き換えフォルダＦ３０６（Ｒｅｐｌａｃｅフォルダ）に、コンテンツのファイルが格納されている場合には、必要に応じて置き換えフォルダに格納されているコンテンツのファイルが表示される。
【０１２６】
具体的に説明すると、例えば、フォルダＦ３０６の中に、フレーム名（フォルダＦ３０８／Ｆｒａｍｅ１フォルダ）、番組名（フォルダＦ３１０／Ｐｒｏｇｒａｍ１フォルダ）が存在している場合には、当該フレームに表示される番組名が、フォルダＦ３１０の内容に置き換わって表示される。
【０１２７】
また、置き換えてよいコンテンツのファイルのファイル名を予め決めていてもよい。例えば、配信データに、置き換え可能なコンテンツのファイルのファイル名として「CM.JPG」というファイル名が含まれているとする。この場合、利用者はフォルダＦ３０６に変わりの「CM.JPG」というファイル格納することで、配信データを容易に表示することができる。
【０１２８】
［４．第４実施形態］
つづいて、第４実施形態について説明する。第４実施形態は、配信データの中に、各利用者が勝手にコンテンツを置き換えてはいけない場合、「書換え禁止」の設定（フラグ）を行う場合について説明する。なお、第１実施形態と機能構成は同一であり、第１実施形態との差異を中心に説明する。
【０１２９】
コンテンツ配信装置１０は、配信するコンテンツに置き換え禁止フラグを記憶する。記憶させる方法はいくつかあるが、例えば、配信データ１４２２の中に、置き換え禁止フラグを設けたり、置き換え禁止コンテンツリストを別に記憶したりしていてもよい。
【０１３０】
また、表示装置２０側においても、置き換え禁止コンテンツの場合、例えば置き換え規則設定プログラム２４４４において、置き換え規則を設定できないように動作にしてもよいし、コンテンツ再生プログラム２４４２において、コンテンツを再生・表示時に置き換え規則があっても無視をするという動作にしてもよい。
【０１３１】
これにより、例えば、重要なインフォメーションや、既に配信が決まっている広告等については、表示装置２０側で置き換えができず、管理者が意図したコンテンツを表示させることが可能となる。
【０１３２】
［５．第５実施形態］
つづいて、第５実施形態について説明する。第５実施形態は、置き換えコンテンツのファイル名により、例えばコンテンツの再生時間等を設定することができる実施形態について説明する。なお、第１実施形態と機能構成は同一であり、第１実施形態との差異を中心に説明する。
【０１３３】
具体的には、図１３のステップＳ２１６において、再生リストを生成するときに、図１８の処理を実行する。
【０１３４】
まず、置き換えコンテンツのファイル名の末尾を抽出する（ステップＳ４０２）。末尾には、置き換えコンテンツの再生時間を記載することができる。したがって、置き換えコンテンツのファイル名の末尾に時間表現文字列が含まれていない場合には（ステップＳ４０４；Ｎｏ）、通常通り再生リスト情報を置き換えコンテンツに置き換えるが、再生時間はデフォルト再生時間が設定される。
【０１３５】
ここで、置き換えコンテンツのファイル名の末尾に時間表現文字列が含まれている場合には（ステップＳ４０４；Ｙｅｓ）、再生リスト情報を置き換えコンテンツに置き換え、再生時間を時間表現文字列から抽出される時間に設定する（ステップＳ４０８）。
【０１３６】
例えば、「Picture_15s.jpg」であれば、静止画「Picture.jp」が15秒間再生される。また、「side_1m30s.ppt」であれば、スライドファイル「side.ppt」が１分３０秒間再生・表示される。
【０１３７】
この場合、デフォルトの場合の再生時間を10秒のように設定してもよいし、動画ファイルの場合は、ものと再生時間と設定されてもよい。
【０１３８】
［６．第６実施形態］
つづいて、第６実施形態について説明する。第６実施形態は、コンテンツ配信装置１０側で、置き換え規則を強制的にリセットしたり、新たな配信データで強制的に書き換えたりする実施形態について説明する。なお、第１実施形態と機能構成は同一であり、第１実施形態との差異を中心に説明する。
【０１３９】
ここで、コンテンツ配信装置１０側が主導で置き換えられたコンテンツを再度配信データに戻す方法としては種々考えられるが、例えば以下のような動作が考えられる。
【０１４０】
（１）配信データの再配信を行う
コンテンツ配信装置１０が、必要に応じて配信データを再度表示装置２０に送信する、表示装置２０は、再生リスト２４３２が存在するにもかかわらず、配信データが受信された場合には、受信された配信データに基づいて、再度再生リストを生成する。このとき、置き換え規則設定プログラム２４４４で生成された置き換え規則より、新しい配信データが存在する場合には、コンテンツ再生プログラム２４４２において、置き換えコンテンツではなく、配信コンテンツを再生・表示するようにする。
【０１４１】
（２）置き換えリストの配信
上述した実施形態では、置き換えリストを表示装置２０側で生成しているが、コンテンツ配信装置１０側で生成し、表示装置２０に配信してもよい。
【０１４２】
例えば、
Frame1  →  [\\Mainserver\Folder1]
と、コンテンツ配信装置１０で置き換え規則を設定することにより、強制的にFrame1のコンテンツは、共有フォルダの内容に置き換わることとなる。
【０１４３】
また、
CM1.jpg  →  CM1.jpg
と、置き換え規則を設定し、定期的に配信することにより、表示装置２０で、
CM1.jpg  →  ETC1.jpg
と、置き換え規則を設定しても、強制的に書き換えられる。これにより、表示装置２０においては、CM1.jpgのコンテンツは置き換えることができないコンテンツとなる。
【０１４４】
［７．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１４５】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１４６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１４７】
１  コンテンツ配信システム
１０  コンテンツ配信装置
１０００  制御部
１１００  表示部
１２００  操作部
１３００  通信部
１４００  記憶部
１４１０  表示装置データ格納部
１４１２  表示装置データ
１４２０  配信データ格納部
１４２２  配信データ
１４３０  プログラム格納部
１４３２  番組データ編集プログラム
１４３４  タイムテーブルデータ編集プログラム
１４３６  スケジュールデータ編集プログラム
１４３８  表示装置管理プログラム
１４４０  配信プログラム
２０  表示装置
２０００  制御部
２１００  表示部
２３００  通信部
２４００  記憶部
２４１０  配信データ格納部
２４１２  配信データ
２４２０  置き換え用コンテンツデータ格納部
２４２２  置き換え規則データ
２４２４  置き換えコンテンツ
２４３０  一時記憶部
２４３２  再生リスト
２４４０  プログラム格納部
２４４２  コンテンツ再生プログラム
２４４４  置き換え規則設定プログラム
２４４６  置き換え規則実行プログラム
３０  共有ファイルサーバ
３０００  制御部
３３００  通信部
３４００  記憶部
３４１０  共有ファイル格納部
３４１２  置き換えコンテンツ
４０  端末装置
【図１】
2018164210.tif 000003
【図２】
2018164210.tif 000004
【図３】
2018164210.tif 000005
【図４】
2018164210.tif 000006
【図５】
2018164210.tif 000007
【図６】
2018164210.tif 000008
【図７】
2018164210.tif 000009
【図８】
2018164210.tif 000010
【図９】
2018164210.tif 000011
【図１０】
2018164210.tif 000012
【図１１】
2018164210.tif 000013
【図１２】
2018164210.tif 000014
【図１３】
2018164210.tif 000015
【図１４】
2018164210.tif 000016
【図１５】
2018164210.tif 000017
【図１６】
2018164210.tif 000018
【図１７】
2018164210.tif 000019
【図１８】
2018164210.tif 000020